(57)【要約】【課題】帯電粒子を効率よく髪に到達させることができる上にコンパクトなヘアケア装置を提供すること。【解決手段】イオン発生器８を、イオン入口５７の面積を二等分すると共に、軸流ファン６の回転軸を含む第一の平面と、イオン発生器８の各放電電極と軸流ファン６の回転軸を含む其々の平面との平均角度から成る第二の平面が、上記第一の平面に対して周方向の回転方向の上流側に傾くように配置する。【選択図】図２
2014076172.tif 000002
【特許請求の範囲】
【請求項１】
吸込口と、吹出口とを有するハウジングと、
上記ハウジング内に配置されると共に、上記吸込口から上記吹出口までの空気の流れを生成するための軸流ファンと、
上記ハウジング内における上記軸流ファンよりも下流側に配置されると共に、上記軸流ファンが送出した空気を温めるヒータと、
上記ハウジング内における上記軸流ファンよりも上流側に配置されると共に、帯電粒子を生成する一つまたは複数の放電電極を有する帯電粒子生成装置と、
上記ヒータによって温められた空気を流す温風流路と、上記帯電粒子を流す帯電粒子流路とを有する空気流路と、
上記空気流路を上記温風流路と上記帯電粒子流路とに隔てる仕切壁と
を備え、
上記帯電粒子流路は、上記仕切壁の一方の面と上記空気流路を形成する壁面の一部とで形成されると共に、上記軸流ファンの下流側に帯電粒子入口を有し、
上記帯電粒子生成装置の少なくとも一部は、上記帯電粒子流路に上記軸流ファンの軸方向に略重なっており、
上記帯電粒子生成装置は、
上記放電電極が一つの場合、上記放電電極と上記回転軸とを含む第二の平面が、上記帯電粒子入口の面積を二等分すると共に、上記軸流ファンの回転軸を含む第一の平面に対して上記軸流ファンの周方向の回転方向の上流側に傾くように配される一方、
上記放電電極が複数の場合、上記第一の平面と、上記複数の放電電極と上記回転軸を含む其々の平面との平均角度を上記第一の平面となす上記回転軸を含む第二の平面が、上記第一の平面に対して上記周方向の回転方向の上流側に傾くように配されることを特徴とするヘアケア装置。
【請求項２】
請求項１に記載のヘアケア装置において、
上記軸流ファンの回転軸を中心にした場合、上記第一の平面と上記第二平面との角度差が０°から６０°の範囲内であることを特徴とするヘアケア装置。
【請求項３】
請求項１または２に記載のヘアケア装置において、
上記帯電粒子入口は、上記軸流ファンの周方向の回転方向の端部を有し、
上記帯電粒子入口において上記軸流ファンの周方向の回転方向の下流側に位置する上記仕切壁の部分は、上記温風流路側に屈曲していることを特徴とするヘアケア装置。
【請求項４】
請求項１から３までのいずれか一項に記載のヘアケア装置において、
上記軸流ファンよりも下流側に位置すると共に、上記帯電粒子流路の方に上記空気の流れの少なくとも一部を導く整流板を備えることを特徴とするヘアケア装置。
【請求項５】
請求項１から４までのいずれか一項に記載のヘアケア装置において、
上記帯電粒子流路の少なくとも一部は、非金属材料からなることを特徴とするヘアケア装置。
【発明の詳細な説明】
【技術分野】
【０００１】
本発明は、ヘアケア装置に関する。
【背景技術】
【０００２】
従来、ヘアケア装置としては、特許第３４０２３２３号公報（特許文献１）に記載されたドライヤーがある。このドライヤーは、ハウジングと、ファンと、ヒータと、イオン発生器とを備え、上記ファン、ヒータおよびイオン発生器は、ハウジング内に配置されている。上記ハウジングは、取手側とは反対側に、上記ヒータが配置される空気流路とは別に、ドライヤーの軸方向に垂直な方向に突出すると共に、軸方向に延在するイオン流路を有し、上記イオン発生器を、イオン流路内に配置している。
【０００３】
上記イオン流路は、イオン放出口を有している。また、上記ファンによって生成されて上記ヒータを通過した風が、イオン流路に流れない一方、空気流路に流れるようにしている。このドライヤーは、イオンのための専用の流路を設けて、イオンが、高温空気が流れる空気流路内を流れないようにすることにより、イオンの放出量が減少することを抑制している。
【０００４】
しかしながら、上記従来のドライヤーでは、イオンの放出量を大きくできる一方、空気流路とは別に、取手側とは反対側にイオン流路を設けて、このイオン流路に、比較的大きいイオン発生器を配置しているから、ドライヤーが大型化するという問題がある。
【０００５】
また、上記従来のドライヤーでは、メインハウジングにファンと空気流路を備え、その上部にイオン流路と流入経路を設けているため、風が送風方向（水平線上）に沿って流入しない結果、イオンを効率良く髪に到達させることができないという問題もある。
【先行技術文献】
【特許文献】
【０００６】
【特許文献１】特許第３４０２３２３号
【発明の概要】
【発明が解決しようとする課題】
【０００７】
そこで、本発明の課題は、帯電粒子を効率よく髪に到達させることができる上にコンパクトなヘアケア装置を提供することにある。
【課題を解決するための手段】
【０００８】
上記課題を解決するため、この発明のヘアケア装置は、
吸込口と、吹出口とを有するハウジングと、
上記ハウジング内に配置されると共に、上記吸込口から上記吹出口までの空気の流れを生成するための軸流ファンと、
上記ハウジング内における上記軸流ファンよりも下流側に配置されると共に、上記軸流ファンが送出した空気を温めるヒータと、
上記ハウジング内における上記軸流ファンよりも上流側に配置されると共に、帯電粒子を生成する一つまたは複数の放電電極を有する帯電粒子生成装置と、
上記ヒータによって温められた空気を流す温風流路と、上記帯電粒子を流す帯電粒子流路とを有する空気流路と、
上記空気流路を上記温風流路と上記帯電粒子流路とに隔てる仕切壁と
を備え、
上記帯電粒子流路は、上記仕切壁の一方の面と上記空気流路を形成する壁面の一部とで形成されると共に、上記軸流ファンの下流側に帯電粒子入口を有し、
上記帯電粒子生成装置の少なくとも一部は、上記帯電粒子流路に上記軸流ファンの軸方向に略重なっており、
上記帯電粒子生成装置は、
上記放電電極が一つの場合、上記放電電極と上記回転軸とを含む第二の平面が、上記帯電粒子入口の面積を二等分すると共に、上記軸流ファンの回転軸を含む第一の平面に対して上記軸流ファンの周方向の回転方向の上流側に傾くように配される一方、
上記放電電極が複数の場合、上記第一の平面と、上記複数の放電電極と上記回転軸を含む其々の平面との平均角度を上記第一の平面となす上記回転軸を含む第二の平面が、上記第一の平面に対して上記周方向の回転方向の上流側に傾くように配されることを特徴としている。
【０００９】
尚、以下に実施例の変形例で説明するように、上記第一の平面が、複数存在する場合には、上記条件を満たす第一の平面が少なくとも一つ存在すれば、上記文言を満足して、本発明の技術的範囲に含まれるものとする。
【００１０】
また、上記帯電粒子とは、例えば、プラスイオン、マイナスイオン、空気中の水分から生み出される微粒子イオン、電子等の電荷が帯電している粒子のことをいう。
【００１１】
本発明によれば、上記帯電粒子発生装置が、ハウジング内においてスペースが大きい軸流ファンよりも空気の流れの上流側に配置されているから、帯電粒子発生装置を配置するための新たなスペースを必要とせず、ヘアケア装置をコンパクトに形成できる。
【００１２】
また、本発明によれば、帯電粒子発生装置が軸流ファンによって生じる空気の流れ内に帯電粒子を生成することにより、帯電粒子を吹出口を介して外部に効率よく吹き出すことができる。したがって、帯電粒子を効率よく髪に到達させることができる。
【００１３】
また、本発明によれば、上記第２の平面が、帯電粒子入口の面積を二等分すると共に、上記軸流ファンの回転軸を含む第一の平面に対して軸流ファンの周方向の回転方向の上流側に傾くように配されるから、より大きくの帯電粒子を、旋回流に沿って帯電粒子流路を通過させることができるため、ハウジング内部で消滅する帯電粒子の数を低減できて、吹出口での帯電粒子濃度を高めることができる。
【００１４】
また、一実施形態では、
上記軸流ファンの回転軸を中心にした場合、上記第一の平面と上記第二平面との角度差が０°から６０°の範囲内である。
【００１５】
尚、０°から６０°の範囲内という文言は、０°と、６０°とは含まれない。
【００１６】
上記実施形態によれば、軸流ファンの回転軸を中心にした場合、第一の平面と第二平面との角度差が０°から６０°の範囲内であるから、ファンの回転数等のパラメータを使用可能な範囲に設定した場合に、帯電粒子発生装置の帯電粒子流路に対する周方向のずれと、帯電粒子が軸流ファンから受ける力によって軸流ファンの回転方向に移動する周方向の移動のずれとを効率的に相殺することができて、より多数の帯電粒子を、帯電粒子流路内に導くことができる。したがって、吹出口での帯電粒子濃度を更に高くすることができる。
【００１７】
また、一実施形態では、
上記帯電粒子入口は、上記軸流ファンの周方向の回転方向の端部を有し、
上記帯電粒子入口において上記軸流ファンの周方向の回転方向の下流側に位置する上記仕切壁の部分は、上記温風流路側に屈曲している。
【００１８】
上記実施形態によれば、帯電粒子入口が、軸流ファンの周方向の回転方向の端部を有して、帯電粒子入口において軸流ファンの周方向の回転方向の下流側に位置する仕切壁の部分が、温風流路側に屈曲しているから、帯電粒子入口において軸流ファンの周方向の回転方向の下流側に位置する仕切壁の部分が、温風流路側に屈曲していない場合と比較して、帯電粒子流路の周方向の軸流ファンの回転方向側において、帯電粒子流路の周方向の長さを長くできる。したがって、帯電粒子が、軸流ファンからの力によって周方向の軸流ファンの回転方向側に移動したとしても、帯電粒子を帯電粒子流路に効率よく収めることができる。
【００１９】
また、一実施形態では、
上記軸流ファンよりも下流側に位置すると共に、上記帯電粒子流路の方に上記空気の流れの少なくとも一部を導く整流板を備える。
【００２０】
上記実施形態によれば、軸流ファンよりも空気の流れの下流側に位置すると共に、帯電粒子流路の方に空気の流れの少なくとも一部を導く整流板を備えるから、より多くの帯電粒子を風とともに帯電粒子流路の方に導くことができる。したがって、帯電粒子が、軸流ファンからの力によって周方向の軸流ファンの回転方向側に移動したとしても、帯電粒子を帯電粒子流路に効率よく収めることができる。
【００２１】
また、一実施形態では、
上記帯電粒子流路の少なくとも一部は、非金属材料からなる。
【００２２】
上記実施形態によれば、帯電粒子が、上記帯電粒子流路の少なくとも一部に衝突しても電荷を失いにくくて、帯電粒子を消滅しにくくすることができる。したがって、帯電粒子流路を通過する帯電粒子が、帯電粒子流路に衝突することによって電荷を失うことを抑制できて、帯電粒子が放出されるまでに消滅することを抑制できる。
【発明の効果】
【００２３】
本発明によれば、帯電粒子を効率よく髪に到達させることができる上にコンパクトなヘアケア装置を実現できる。
【図面の簡単な説明】
【００２４】
【図１】本発明のヘアケア装置の一実施形態であるドライヤーの模式縦断面図である。
【図２】吸気口フィルタを取り外した状態のドライヤーを後方から見たときの図である。
【図３】吸気口フィルタを取り外した状態の参考例（従来例ではない）のドライヤーを後方から見たときの図である。
【図４】制御部と、各部位との入出力の関係を示すブロック図である。
【図５】図２におけるθの値と、ドライヤーの吹出口のイオン濃度との関係を示す図である。
【図６】変形例のドライヤーにおける図２に対応する図である。
【図７】更なる変形例のドライヤーにおける図２に対応する図である。
【図８】更なる変形例のドライヤーにおける図１に対応する図である。
【図９】上記実施形態の整流部材の斜視図である。
【図１０】変形例の整流部材の斜視図である。
【図１１】更なる変形例のドライヤーの切断斜視図である。
【図１２】変形例のイオン発生器の模式斜視図である。
【図１３】変形例のイオン発生器の模式斜視図である。
【図１４】変形例のイオン発生器の模式斜視図である。
【図１５】変形例のイオン流路を示す模式図である。
【発明を実施するための形態】
【００２５】
以下、本発明を図示の形態により詳細に説明する。
【００２６】
図１は、本発明のヘアケア装置の一実施形態であるドライヤーの模式縦断面図である。
【００２７】
図１に示すように、このドライヤーは、ドライヤー本体１と、取手２とを備え、取手２は、ドライヤー本体１に接続している。上記取手２は、折り畳み用ボタン１２を押圧すると、関節によりドライヤー本体１に対して折り畳みできるようになっている。上記取手２は、折りたたみ状態では、ドライヤー本体１に沿うように延在する一方、取手の機能を発揮するときには、図１に示すように、ドライヤー本体１の軸方向に略垂直な方向に延在するようになっている。
【００２８】
ドライヤー本体１は、ハウジング５と、軸流ファン６と、ヒータ７と、帯電粒子発生装置の一例としてのイオン発生器８と、ファンモータ９と、整流部材１０とを有する。上記ハウジング５は、筒状の部材であって、吸込口１７と、吹出口１８とを有し、吸込口１７は、ハウジング５の延在方向の一端部に位置する一方、吹出口１８は、ハウジング５の延在方向の他端部に位置している。図１に示すように、上記吸込口１７には、着脱可能な吸込口フィルタ２０が取り付けられる一方、吹出口１８には、吹出口フィルタ２１が取り付けられている。このようにして、吸込口１７や吹出口１８を通じて外部の埃等がハウジング５内に入り込むのを抑制している。
【００２９】
上記軸流ファン６およびファンモータ９は、ハウジング５内に配置されている。上記軸流ファン６は、ファンモータ９によって駆動されるようになっている。上記軸流ファン６は、ハウジング５内に、吸込口１７から吹出口１８までの空気の流れを生成するようになっている。上記ハウジング５内には制御部が存在している。制御部によって、ファンモータ９の多段出力駆動を可能にする周知の駆動回路を制御することにより、軸流ファン６が、高出力駆動と、その高出力駆動よりも低出力の低出力駆動とをできるようになっている。
【００３０】
上記ヒータ７は、ハウジング５内に位置している。詳しくは、上記ハウジング５は、空気流路を有し、空気流路は、帯電粒子流路としてのイオン流路３０と、温風流路３１とを有する。上記イオン流路３０と、温風流路３１とは、仕切壁３３で隔てられている。上記仕切壁３３は、平板からなり、軸流ファン６の軸方向に延在している。上記イオン流路３０および温風流路３１の夫々は、軸流ファン６およびファンモータ９よりも空気の流れの下流側に位置し、略軸流ファン６の軸方向に延在している。上記ヒータ７は、温風流路３１内に配置されている。上記ヒータ７は、吸込口１７から取り込まれて温風流路３１内を流動する空気を加熱して温風を生成するようになっている。上記制御部は、図示しないヒータ制御装置に信号を出力するようになっており、ヒータ制御装置は、ヒータ７に供給する電力の通遮電を行うようになっている。
【００３１】
上記イオン発生器８は、特許第３６８０１２１号に記載されている著名のイオン発生器で構成され、帯電粒子の一例としての著名な正負のＰＣＩ（プラズマクラスターイオン：登録商標）を放出するようになっている。上記イオン発生器８は、軸流ファン６およびファンモータ９よりも上記空気の流れの上流側に位置している。図１に示すように、上記イオン発生器８は、ハウジング５内にハウジング５の内周面に沿うように配置されている。上記イオン発生器８は、ハウジング５内に配置されている。上記イオン発生器８は、上記空気の流れの中に正負のＰＣＩを放出するようになっている。
【００３２】
上記イオン流路３０は、ハウジング５の内周面の一部と、仕切壁３３とで形成されている。上記イオン流路３０は、帯電粒子入口としてのイオン入口５７と、帯電粒子出口としてのイオン出口５８とを有する。上記仕切壁３３においてイオン流路３０に面する表面部は、樹脂材料等の非金属材料からなっている。
【００３３】
図１に示すように、上記整流部材１０は、軸流ファン６よりも空気の流れの下流側に位置している。上記整流部材１０は、環状部材であり、複数の整流板８８を有する。上記複数の整流板８８は、径方向および軸方向に延在し、複数の整流板８８は、周方向に互いに間隔をおいて位置している。上記整流部材１０は、周方向に隣接する整流板８８と整流板８８との間を通過する風の向きを整流するようになっている。
【００３４】
上記取手２には、操作部１１が形成されている。ユーザが、操作部１１を用いて情報を入力すると、その情報は、制御部に送られるようになっている。上記制御部は、ＣＰＵ（中央演算処理装置：Central Processing Unit）からなっている。上記制御部は、プログラムおよびデータを格納する図示しないメモリにアクセスできるようになっている。また、制御部と、各部とは、Ｉ／Ｆ（インターフェイス：Interface）によって、データを入出力するようになっている。上記制御部および上記メモリは、上記空気の流れにおいて、ヒータ７よりも上流側に位置している。このようにして、上記制御部の電装品およびメモリが、上記空気の流れで冷却されるようにしている。
【００３５】
図２は、吸気口フィルタ２０を取り外した状態のドライヤーを後方から見たときの図である。
【００３６】
図２に示すように、上記イオン発生器８は、そのイオン発生器８がイオン入口５７の面積を二等分すると共に軸流ファン６の径方向と軸流ファン６の軸方向とを含む平面に対して面対称になる位置に対して、軸流ファン６の周方向に間隔をおいて位置しており、詳しくは、イオン発生器８は、上記平面に対して面対称になる位置に対して、軸流ファン６の周方向の回転方向の下流側に位置している。上記イオン発生器８は、イオン流路３０のイオン入口５７に軸方向に正対する位置から軸流ファン６の回転軸を中心として軸流ファン６の周方向の回転方向の上流側に角度θ［°］をなす位置に配置されている。また、仕切壁３３は、図２において、軸流ファン６の中心と、取手２とを結ぶ線分に垂直な平面上に位置している。
【００３７】
尚、図２において、矢印Ａは、軸流ファン６の回転方向を示している。また、図３は、吸気口フィルタを取り外した状態の参考例（従来例ではない）のドライヤーを後方から見たときの図である。この参考例のドライヤーでは、イオン発生器９０８は、イオン流路９３０のイオン入口９５７に軸方向に正対する位置に配置されている。尚、この明細書では、イオン発生器がイオン流路のイオン入口に軸方向に正対する位置を、イオン発生器がイオン入口の面積を二等分すると共に軸流ファンの径方向と軸流ファンの軸方向とを含む平面に対して面対称になる位置として定義する。
【００３８】
上記イオン発生器８の少なくとも一部は、イオン入口５７に軸流ファン６の軸方向に重なっている。上記イオン発生器８は、マイナスイオン発生部７０と、プラスイオン発生部７１とを有している。図２に示すように、イオン入口５７の面積を二等分すると共に、軸流ファン６の回転軸を含む第一の平面と、マイナスイオン発生部７０の放電電極と軸流ファン６の回転軸とを含む平面とがなす角度と、上記第一の平面と、プラスイオン発生部７１の放電電極と軸流ファン６の回転軸とを含む平面とがなす角度との平均の角度が、図２にθで示す角度となっている。尚、ここで、各放電電極と軸流ファン６の回転軸とを含む平面が、上記第一の平面に対してなす角度は、各平面が、第一の平面よりも軸流ファン６の周方向の回転方向の上流側に存在する時には、正の角度とする一方、各平面が、第一の平面よりも軸流ファン６の周方向の回転方向の下流側に存在する時には、負の角度として、上記平均の角度を求めている。そして、上記平均の角度を上記第一の平面となすと共に、上記回転軸を含む平面を、第二の平面とするとき、イオン発生器８は、上記第二の平面が、上記第一の平面に対して軸流ファン６の周方向の回転方向の上流側に傾くように、配されている。また、上記θは、０°＜θ＜６０°を満たしている。
【００３９】
図４は、上記制御部５０と、各部位との入出力の関係を示すブロック図である。
【００４０】
図４に示すように、制御部５０には、ヒータ制御装置５１、ファンモータ９、操作部１１（図１参照）およびイオン発生用高周波回路５２が接続されている。上記制御部５０は、これらの部位の夫々と、Ｉ／Ｆを介してつながっている。
【００４１】
上記制御部５０は、操作部１１からの情報に基づいて、ヒータ７のヒータ制御装置５１を制御するようになっており、ヒータ７の駆動を制御するようになっている。また、上記制御部５０は、操作部１１からの情報に基づいて、ファンモータ９およびイオン発生用高周波回路５２を制御するようになっており、軸流ファン６およびイオン発生器８の駆動を制御するようになっている。
【００４２】
図５は、図２におけるθの値と、ドライヤーの吹出口のイオン濃度との関係を示す図である。尚、図５では、軸流ファンの取手側の最下方の位置をθ＝０°とし、軸流ファンの回転方向側とは反対側（回転方向の上流側）を正とする一方、軸流ファンの回転方向側（回転方向の下流側）を負としている。また、風量小プラスとは、軸流ファンの回転速度が低速である場合のプラスイオン濃度を示し、風量小マイナスとは、軸流ファンの回転速度が低速である場合のマイナスイオン濃度を示している。また、風量大プラスとは、軸流ファンの回転速度が上記低速よりも速い高速である場合のプラスイオン濃度を示し、風量大マイナスとは、軸流ファンの回転速度が高速である場合のマイナスイオン濃度を示している。
【００４３】
図５において、プラスイオン濃度が極大になる角度よりもマイナスイオンが極大になる角度の方が大きくなっている。これは、図２を参照して、イオン発生器８のマイナスイオン発生部７０が、イオン発生器８のプラスイオン発生部７１よりも軸流ファン６の回転方向の下流側に位置することに基づくものである。したがって、イオン発生器において、マイナスイオン発生部と、プラスイオン発生部との配置を逆にすれば、イオン濃度が極大になる角度も逆になる。
【００４４】
図５に示すように、この実施形態では、風量が大かまたは小であるかによらず、プラスイオンは、θが約２０°が最大イオン濃度となり、マイナスイオンは、θが約６０°が最大イオン濃度となっている。したがって、イオン発生器８の最適角度は、その中央値の約４０°になっている。
【００４５】
本発明者は、イオン発生器を回転させない状態（θ＝０°）の場合と、θを４０°としたときの、髪に対する除電効果を調査した。詳しくは、６０ｃｍの毛束を、樹脂製ブラシで１０回ブラッシングして帯電させた後、正負のＰＣＩイオンを生成するイオン発生器を駆動させた状態で、それぞれで３０秒間最大で冷風送風して、前後の帯電電位を測定した。その結果、初期帯電電位は、８ｋＶであり、θ＝０°の場合における冷風送風後の電位は、０.２０ｋＶであり、θ＝４０°の場合における冷風送風後の電位は、０.０１ｋＶであった。したがって、θ＝０°の場合との比較において、θ＝４０°の方が、吹出口イオン濃度を高くできて、髪の除電効果を大きくできることが確認できた。
【００４６】
上記実施形態のドライヤーによれば、イオン発生器８が、ハウジング５内においてスペースが大きい軸流ファン６よりも空気の流れの上流側に配置されているから、イオン発生器８を配置するための新たなスペースを必要とせず、ドライヤーをコンパクトに形成できる。
【００４７】
また、上記実施形態のドライヤーによれば、イオン発生器８が空気の流れの流路内にイオンを生成するようになっているから、イオンを吹出口１８を介して外部に効率よく吹き出すことができる。したがって、イオンを効率よく髪に到達させることができる。
【００４８】
また、上記実施形態のドライヤーによれば、イオン入口５７の面積を二等分すると共に、軸流ファン６の回転軸を含む第一の平面に対して上記平均の角度をなすと共に、上記回転軸を含む第二の平面が、上記第一の平面に対して軸流ファンの周方向の回転方向の上流側に傾くようにイオン発生器８を配置するから、イオン発生器８のイオン流路３０に対する周方向のずれと、イオンが軸流ファン６から受ける力によって軸流ファン６の回転方向に移動する周方向の移動ずれとを相殺することができて、より多くのイオンを、イオン流路３０内に導くことができる。したがって、吹出口でのイオン濃度を更に高くできる。
【００４９】
仮に、イオン発生器が、イオン流路のイオン入口に軸方向に重なる位置に、イオン流路のイオン入口に正対するように配置されたならば、イオンの流れが軸流ファンからの力によって軸流ファンの回転方向に周方向にねじれるため、イオン発生器で発生したイオンが、折角形成したイオン流路を通らない現象が生じ、イオンがヒータ等との接触により消滅し易くなり、吹出口のイオン濃度を高くしにくくなるのである。
【００５０】
また、上記実施形態のドライヤーによれば、イオン発生器８が、イオン流路３０内に配置されないから、イオン流路３０の体積を小さくすることができる。したがって、ヒータ７が配置される温風流路３１の体積が過度に小さくなることがないから、ヒータ７の方に風がいかなくなることを防止できて、吹出温度が極端に高くなることを防止できる。
【００５１】
また、上記実施形態のドライヤーによれば、仕切壁３３におけるイオン流路３０に面する部分が、非金属材料からなっているから、イオン流路３０を通過する正負のＰＣＩイオンが、仕切壁３３に衝突することによって電荷を失うことを抑制できて、正負のＰＣＩイオンが放出されるまでに消滅することを抑制できる。
【００５２】
尚、上記実施形態のドライヤーでは、仕切壁３３が、平板からなり、軸方向に延在していた。しかしながら、この発明では、図６、すなわち、変形例のドライヤーにおける図２に対応する図に示すように、イオン入口において軸流ファン１０６の周方向の回転方向の下流側に位置する仕切壁１８３の部分を、仕切壁１８３によってイオン流路１３０と隔てられる温風流路１３１側に屈曲させても良く、軸流ファン１０６の径方向の内方側に湾曲させても良い。そして、この場合、軸流ファン１０６からの力で、軸流ファン１０６の軸方向に移動すると共に、ハウジング１０５の内周面を軸流ファン１０６の回転方向に周方向に移動するイオンのより多くを、イオン流路１３０に導くことができる。
【００５３】
また、この発明では、図７、すなわち、更なる変形例のドライヤーにおける図２に対応する図に示すように、イオン入口において軸流ファン２０６の周方向の回転方向の下流側に位置する仕切壁２３３の部分２３７と、イオン入口において軸流ファン２０６の周方向の回転方向の上流側に位置する仕切壁２３３の部分２３８とを三日月状に仕切壁２３３によってイオン流路２３０と隔てられる温風流路２３１側に屈曲させても良く、軸流ファン２０６の径方向の内方側に湾曲させても良い。このようにすると、図６に示す変形例との比較において、イオン入口において軸流ファン２０６の周方向の回転方向の上流側に位置する仕切壁２３３の部分２３８からもイオンを、イオン流路２３０に導くことができると共に、デザイン性も優れたものにできる。また、単純な折り曲げ成形により仕切壁２３３を生成できるため、成形も容易に行うことができる。
【００５４】
また、図７に示すように、イオン流路２３０の断面を三日月状にすると、より多くの帯電粒子を、イオン流路２３０に導くことができる上、周方向の中央部分の高さを低くできて、イオン流路２３０の体積も小さくできるから、ヒータが配置される温風流路２３１の体積を大きくできて、吹出温度が過度に大きくなることを確実に防止できる。尚、イオン流路は、イオン流路の延在方向の全域に亘って断面が三日月状の形状になっていても良く、また、イオン流路の風の流入方向の端部のみ、断面が三日月状の形状になっていても良い。また、図６や図７に示す変形例で、仕切壁の周方向の端部のみが、温風流路側に軸流ファンの径方向の内方側に湾曲する構成はイオン流路のイオン入口だけであれば良く、イオン流路の径方向の断面は、イオン流路の延在方向の全域に亘って湾曲していなくても良い。また、これら変形例では、仕切壁が温風流路側に軸流ファンの径方向の内方側に湾曲されていたが、仕切壁は温風流路側に湾曲していれば良い。また、上記変形例では、仕切壁が温風流路側に湾曲されていたが、仕切壁は、単に温風流路側に屈曲していれば良い。
【００５５】
また、上記実施形態のドライヤーでは、整流部材１０が有する各整流板８８が、軸方向に延在していた。しかしながら、この発明では、図８、すなわち、更なる変形例のドライヤーにおける図１に対応する図に示すように、整流部材３１０の各整流板３８８を、軸流ファン３０６の軸方向に対して風のねじれによるずれを補正する角度を持って構成しても良く、整流部材３１０の各整流板３８８で、軸流ファン３０６からの風をイオン流路３３０の方に導くようにしても良い。このようにして、イオンのより多くをイオン流路３３０に効率よく収容できるようにしても良い。
【００５６】
詳しくは、図９の斜視図に示す、各整流板８８が径方向に延在している上記実施形態の整流部材１０の代わりに、図１０の斜視図に示す、軸流ファンによる流れのねじれを補正する方向に角度を有する整流板３８８を有する整流部材３１０を配置することにより、軸流ファンからの力によって図１０に矢印Ａで示す周方向の成分を有するようになった空気の流れを、整流板３８８によって、矢印Ａで示す方向とは反対側に補正できて、イオン発生器３０８（図８参照）で発生したイオンの多くを、イオン流路３３０を通過させることができる。したがって、イオン流路３３０を通らずに温風流路３３１へ流れて、ヒータ等で消滅するイオンを減らして、吹出口３１８のイオン濃度を高めることができる。
【００５７】
上記整流部材３１０の各整流板３８８を風のねじれのずれを補正するように傾斜させることにより、整流部材の整流板が空気の流れに対して略平行もしくはねじれ方向に傾斜している場合であれば、図８に破線の矢印で示す向きに流れる風を、図８に実線の矢印で示す向きに流すことができるようになるのである。尚、図９に参照番号９９で示す部材、および、図１０に参照番号３９９で示す部材は、モータシャフトである。
【００５８】
また、この発明では、整流部材の少なくとも一つの整流板が、環状の整流部材の軸方向の吹出口側に行くにしたがって周方向のねじれ方向側とは反対側に移動する部分を有していても良く、このようにして、その少なくとも一つの整流板でねじれの抑制を行って、より多くのイオンをイオン流路に導くようにしても良い。
【００５９】
また、上記実施形態では、仕切壁３３におけるイオン流路３０に面する部分が、非金属材料になっていたが、この発明では、イオン流路の全部に金属部分がないようにして、イオンを効率的に放出するようにしても良い。尚、この発明では、仕切壁のイオン流路側の部分にかぎらず、イオン流路の少なくとも一部が、非金属材料からなっていても良く、イオン流路の全部が金属からなっていても良い。
【００６０】
また、上記実施形態および変形例では、イオン流路３０と、温風流路３１とが、平板状の仕切壁３３や、断面三日月状の仕切壁１３３で仕切られていたが、この発明では、イオン流路と、温風流路とは、平板状でなく、また、断面三日月状でもない仕切壁によって仕切られても良い。
【００６１】
また、上記実施形態では、仕切壁３３が、平板からなって、軸方向に延在していたが、この発明では、仕切壁は、風の入口側の端部形状が、より風を捕獲できる方向に折り曲げられていても良い。
【００６２】
例えば、図１１に示す、イオン流路４３０のイオン入口４５７付近が見えるようにした更なる変形例のドライヤーの切断斜視図に示すように、イオン流路４３０と、温風流路４３１とを仕切る仕切壁４３３にイオン入口４５７側に、軸流ファンによる流れのねじれを補正する方向に角度を有するリブ４４１,４４２を設けても良い。このようにして、簡易な構成で整流補正を行って、より多くのイオンをイオン流路４３０に導くようにしても良い。尚、図１１において、参照番号４４８は、モーターを示し、参照番号４４９は、ヒータユニットを示している。
【００６３】
また、上記実施形態では、図２に示すように、イオン流路３０が、取手２の側にハウジング５の最下方に形成されると共に、イオン発生器８がハウジング５の紙面において左側に形成されていた。しかしながら、上記イオン発生器は、イオン流路のイオン入口に軸方向に正対する位置に対して周方向の軸流ファンの回転方向側とは反対側に位置していさえすれば、イオン発生器は、何処に配置されていても良い。例えば、イオン発生器を、取手の側にハウジングの最下方に配置すると共に、イオン流路を、吸気口フィルタを取り外した状態のドライヤーを後方から見たときの図において、紙面の右側に偏るように配置しても良い。
【００６４】
また、この発明では、イオン発生器は、イオン流路のイオン入口に軸方向に正対する位置に対して軸流ファンの周方向に間隔をおいて位置していさえすれば良い。というのは、仕様によっては、イオン発生器が、イオン流路に軸方向に正対する位置に対して周方向の軸流ファンの回転方向側に位置していた方が、旋回流に沿って流動するイオンが、よりイオン流路に導かれる場合があるからである。
【００６５】
また、上記実施形態では、ヘアケア装置が、ドライヤーであったが、この発明では、ヘアケア装置は、カールブラシやヘアアイロン等のドライヤー以外の軸流ファンを有するヘアケア装置であっても良い。というのは、ドライヤーでなくても、軸流ファンを有するヘアケア装置でありさえすれば、軸流ファンによって帯電粒子の流れが、軸流ファンの周方向の回転方向側に曲げられるという現象が生じ、ヒータ等との接触により帯電粒子が消滅し易くなるという事象が発生するのが明らかだからである。
【００６６】
尚、上記実施形態では、イオン入口５７の面積を二等分すると共に、軸流ファン６の回転軸を含む第一の平面と、マイナスイオン発生部７０の放電電極と軸流ファン６の回転軸とを含む平面とがなす角度と、上記第一の平面と、プラスイオン発生部７１の放電電極と軸流ファン６の回転軸とを含む平面とがなす角度との平均の角度θが、０°よりも大きくて６０°よりも小さい。しかしながら、この発明では、イオン入口の面積を二等分すると共に、軸流ファンの回転軸を含む第一の平面と、マイナスイオン発生部の放電電極と軸流ファンの回転軸とを含む平面とがなす角度と、上記第一の平面と、プラスイオン発生部の放電電極と軸流ファンの回転軸とを含む平面とがなす角度との平均の角度θが、６０°以上であっても良い。
【００６７】
また、上記実施形態では、放電電極が、二つあったが、この発明では、放電電極が一しかなく、その放電電極と軸流ファンの回転軸とを含む第二の平面が、イオン入口の面積を二等分すると共に、軸流ファンの回転軸を含む第一の平面に対して軸流ファンの周方向の回転方向の上流側に傾くように、イオン発生器を配置しても良い。また、本発明では、放電電極が三つ以上あり、イオン入口の面積を二等分すると共に、軸流ファンの回転軸を含む第一の平面と、その三つ以上の放電電極と上記回転軸を含む其々の平面との平均角度を上記第一の平面となす上記回転軸を含む第二の平面が、上記第一の平面に対して上記周方向の回転方向の上流側に傾くように、イオン発生器を配置しても良い。
【００６８】
また、上記実施形態では、図２に示すように、イオン発生器８を面対称とできる平面が存在したが、この発明では、図１２〜１４、すなわち、変形例の変形例のイオン発生器の模式斜視図に示すように、これら夫々の図で、ａで示す部分と、ｂで示す部分とが、面対称になっていなくても良く、イオン発生器５０８,６０８,７０８は、面対称にできる平面が存在しなくても良い。尚、これら夫々の図で、５１０,５１１,６１０,６１１,６１２,６１３,７１０,７１１は、放電電極を示している。
【００６９】
また、上記実施形態では、イオン流路３０,１３０,２３０,３３０,４３０が、環状でなかったが、この発明では、図１５、すなわち、ヘアケア装置の軸方向に垂直な方向に広がる平面での切断面に示すように、イオン流路は、環状であっても良い。尚、図１５において、８３０は、イオン流路を示し、８３１は、温風流路を示す。また、この場合、イオン入口の面積を二等分すると共に、軸流ファンの回転軸を含む第一の平面が、無限個存在することになる。しかしながら、帯電粒子生成装置が、放電電極が一つの場合、放電電極と軸流ファンの回転軸とを含む第二の平面が、帯電粒子入口の面積を二等分すると共に、軸流ファンの回転軸を含む第一の平面に対して軸流ファンの周方向の回転方向の上流側に傾くように配される一方、放電電極が複数の場合、第一の平面と、複数の放電電極と軸流ファンの回転軸を含む其々の平面との平均角度を第一の平面となす回転軸を含む第二の平面が、第一の平面に対して周方向の回転方向の上流側に傾くように配されるという条件を満たす第一の平面が一つでも存在すれば、この発明に含まれるものとする。
【００７０】
また、上記実施形態では、帯電粒子発生装置が、正負のＰＣＩを生成するイオン発生器８であり、帯電粒子が、正負のＰＣＩであったが、この発明では、帯電粒子発生装置は、電子を生成する装置であっても良く、帯電粒子は、電子であっても良い。また、この発明では、帯電粒子発生装置は、帯電微粒子水を生成する装置であっても良く、帯電粒子は、帯電微粒子水であっても良い。また、この発明では、帯電粒子発生装置は、正イオンと、負イオンのうちの一方のイオンしか発生させることができなくても良く、帯電粒子は、正イオンと、負イオンのうちの一方のイオンであっても良い。また、この発明では、帯電粒子発生装置は、ＰＣＩ以外の正イオンと、ＰＣＩ以外の負イオンとの両方を、生成する装置であっても良く、帯電粒子は、ＰＣＩ以外の正イオンと、ＰＣＩ以外の負イオンとの両方であっても良い。というのも、ドライヤーから放出されるのが、電荷が帯電した帯電粒子であれば、髪の除電効果があるのが明らかだからである。
【００７１】
また、本発明のヘアケア装置は、例えば、上記変形例で説明した湾曲した仕切壁と、上記変形例で説明した風を帯電粒子流路に導く整流板とを有していても良い。このように、上記実施形態および変形例で説明した構成のうちの二以上の構成を適宜組み合わせて、本発明の新たな実施形態を構成しても良いことは言うまでもない。
【符号の説明】
【００７２】
５,１０５  ハウジング
６,１０６,２０６,３０６  軸流ファン
７  ヒータ
８,５０８,６０８,７０８  イオン発生器
１７  吸込口
１８  吹出口
３０,１３０,２３０,３３０,４３０,８３０  イオン流路
３１,１３１,２３１,３３１,４３１,８３１  温風流路
３３,１３３,２３３,４３３  仕切壁
５７,４５７  イオン入口
５８  イオン出口
８８,３８８  整流板
【図１】
2014076172.tif 000003
【図２】
2014076172.tif 000004
【図３】
2014076172.tif 000005
【図４】
2014076172.tif 000006
【図５】
2014076172.tif 000007
【図６】
2014076172.tif 000008
【図７】
2014076172.tif 000009
【図８】
2014076172.tif 000010
【図９】
2014076172.tif 000011
【図１０】
2014076172.tif 000012
【図１１】
2014076172.tif 000013
【図１２】
2014076172.tif 000014
【図１３】
2014076172.tif 000015
【図１４】
2014076172.tif 000016
【図１５】
2014076172.tif 000017